(57)【特許請求の範囲】
【請求項１】
壁面を有するパネルと、
前記壁面に、互いに離間して配置される複数のホールドと、
を備え、前記パネルを立設して用いることが可能なクライミング遊具であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記壁面から突出し且つ前記幅方向に沿って延びる突出部を有し、
前記突出部は、
前記幅方向における一方の端部から他方の端部まで水平方向に連続するように延びており、前記ホールドに手を掛けつつ前記突出部に足を掛けて前記パネルの壁面に沿って移動する際に、前記幅方向における一方の端部から他方の端部まで水平移動できるように構成されてなる
ことを特徴とするクライミング遊具。
【請求項２】
壁面を有するパネルと、
前記壁面に、互いに離間して配置される複数のホールドと、
を備え、前記パネルを立設して用いることが可能なクライミング遊具であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記複数のホールドについての前記幅方向における間隔よりも狭い間隔で、前記幅方向に沿って配置される複数の突出部を有し、
前記複数の突出部は、
それぞれ、前記ホールドに手を掛けつつ前記突出部に足を掛けて前記パネルの壁面に沿って移動する際に水平移動できるように構成されているとともに、
一の突出部から他の突出部に移動する際にも水平移動できるように構成されてなる
ことを特徴とするクライミング遊具。
【請求項３】
前記突出部は、前記壁面に沿った重力方向における上面が全面にわたって平面状に形成されている
ことを特徴とする請求項１または請求項２に記載のクライミング遊具。
【請求項４】
前記パネルが立設されたときに該パネルが露出する部分の最下部を基底部とし、
前記パネルは、
該パネルが立設されたときに前記基底部との間に緩衝マットを配置可能な空隙が形成されるように、前記突出部を、前記幅方向における前記突出部の一方の端部から他方の端部にわたって、前記基底部から前記縦方向に略一定の長さである所定長さ離れた部位に有し、
さらに、前記クライミング遊具は、
前記突出部の下面と接触するように前記空隙に嵌め込まれ、前記突出部との境界部分を視覚的に区別できるように前記突出部と異なる色で構成された緩衝マットを備える
ことを特徴とする請求項１〜請求項３のいずれか１項に記載のクライミング遊具。
【請求項５】
前記突出部は、
足掛け部として機能するものであって、足を掛けたときに足の一部がはみ出るように突出長さが５〜１５ｃｍである
ことを特徴とする請求項１〜請求項４のいずれか１項に記載のクライミング遊具。
【請求項６】
前記突出部は、前記壁面に沿った重力方向における上面に複数の粒状突起を有する
ことを特徴とする請求項１〜請求項５のいずれか１項に記載のクライミング遊具。
【請求項７】
立設して用いることが可能であり、複数のホールドを互いに離間して配置可能な壁面を有するクライミング遊具用パネルであって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記壁面から突出し且つ前記幅方向に沿って延びる突出部を有し、
前記突出部は、
前記幅方向における一方の端部から他方の端部まで水平方向に連続するように延びており、前記ホールドに手を掛けつつ前記突出部に足を掛けて前記パネルの壁面に沿って移動する際に、前記幅方向における一方の端部から他方の端部まで水平移動できるように構成されてなる
ことを特徴とするクライミング遊具用パネル。
【請求項８】
立設して用いることが可能であり、複数のホールドを互いに離間して配置可能な壁面を有するクライミング遊具用パネルであって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記複数のホールドについての前記幅方向における間隔よりも狭い間隔で、前記幅方向に沿って配置される複数の突出部を有し、
前記複数の突出部は、
それぞれ、前記ホールドに手を掛けつつ前記突出部に足を掛けて前記パネルの壁面に沿って移動する際に水平移動できるように構成されているとともに、
一の突出部から他の突出部に移動する際にも水平移動できるように構成されてなる
ことを特徴とするクライミング遊具用パネル。
【発明の詳細な説明】
【技術分野】
【０００１】
本発明は、例えば、パネルの壁面に複数のホールドが配置されるクライミング遊具、およびクライミング遊具用パネルに関する。
【背景技術】
【０００２】
クライミング用の人工壁（特許文献１等参照）では、パネル（クライミング遊具用パネル）の壁面に、複数のホールドが互いに離間して配置されている。そして、利用者は、当該複数のホールドのいずれかに手や足を掛けてパネルの壁面に沿って移動する。
【先行技術文献】
【特許文献】
【０００３】
【特許文献１】特開２００４−１２９９７２号公報
【発明の概要】
【発明が解決しようとする課題】
【０００４】
このようなクライミング用の人工壁に関して、子供がクライミングを体験するためのクライミング遊具がある。しかし、従来のクライミング遊具では、例えば１〜２歳の子供（低年齢児）にとって、ホールドに手を掛けることはできるものの、互いに離間して配置された複数のホールドを足掛かりとしてパネルの壁面に沿って移動することは難しい。そのため、従来のクライミング遊具では、上記の低年齢児はクライミングを体験することが困難であった。
【０００５】
本発明は、そのような点に鑑みてなされたものであり、低年齢児であってもクライミングを体験可能なクライミング遊具およびクライミング遊具用パネルを、提供することを目的とする。
【課題を解決するための手段】
【０００６】
（１）本発明のクライミング遊具は、
壁面を有するパネルと、
前記壁面に、互いに離間して配置される複数のホールドと、
を備え、前記パネルを立設して用いることが可能なクライミング遊具であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記壁面から突出し且つ前記幅方向に沿って延びる突出部を有し、
前記突出部は、
前記幅方向における一方の端部から他方の端部まで水平方向に連続するように延びており、前記ホールドに手を掛けつつ前記突出部に足を掛けて前記パネルの壁面に沿って移動する際に、前記幅方向における一方の端部から他方の端部まで水平移動できるように構成されてなる
ことを特徴とする。
【０００７】
上記（１）のクライミング遊具によれば、パネルの縦方向の下方部分において、該パネルの壁面から突出し且つパネルの幅方向に沿って延びる突出部が、幅方向における一方の端部から他方の端部まで水平方向に連続するように延びており、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けてパネルの壁面に沿って移動する際に、幅方向における一方の端部から他方の端部まで水平移動することが可能となる。したがって、低年齢児であってもクライミングを体験可能なクライミング遊具を、提供することが可能となる。
【０００８】
（２）本発明のクライミング遊具は、
壁面を有するパネルと、
前記壁面に、互いに離間して配置される複数のホールドと、
を備え、前記パネルを立設して用いることが可能なクライミング遊具であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記複数のホールドについての前記幅方向における間隔よりも狭い間隔で、前記幅方向に沿って配置される複数の突出部を有し、
前記複数の突出部は、
それぞれ、前記ホールドに手を掛けつつ前記突出部に足を掛けて前記パネルの壁面に沿って移動する際に水平移動できるように構成されているとともに、
一の突出部から他の突出部に移動する際にも水平移動できるように構成されてなる
ことを特徴とする。
【０００９】
上記（２）のクライミング遊具によれば、パネルの縦方向の下方部分において、複数のホールドについての該パネルの幅方向における間隔よりも狭い間隔で当該幅方向に沿って配置される複数の突出部が、例えば複数のホールドを足掛かりとしてパネルの壁面に沿って移動することが困難な低年齢児にとっての足掛かりとなり得る。これにより、低年齢児であっても、ホールドに手を掛けつつ各突出部に足を掛けて、パネルの壁面に沿って移動する際に、一の突出部から他の突出部への移動も含めて水平移動することが可能となる。したがって、低年齢児であってもクライミングを体験可能なクライミング遊具を、提供することが可能となる。
【００１０】
（３）上記（１）または（２）のクライミング遊具において、
前記突出部は、前記壁面に沿った重力方向における上面が全面にわたって平面状に形成されている
ことを特徴とする。
【００１１】
上記（３）のクライミング遊具によれば、突出部に足を掛けた際に足が安定するため、低年齢児であっても、より容易にクライミングを体験することが可能となる。
【００１２】
（４）上記（１）〜（３）のいずれかのクライミング遊具において、
前記パネルが立設されたときに該パネルが露出する部分の最下部を基底部とし、
前記パネルは、
該パネルが立設されたときに前記基底部との間に緩衝マットを配置可能な空隙が形成されるように、前記突出部を、前記幅方向における前記突出部の一方の端部から他方の端部にわたって、前記基底部から前記縦方向に略一定の長さである所定長さ離れた部位に有し、
さらに、前記クライミング遊具は、
前記突出部の下面と接触するように前記空隙に嵌め込まれ、前記突出部との境界部分を視覚的に区別できるように前記突出部と異なる色で構成された緩衝マットを備える
ことを特徴とする。
【００１３】
上記（４）のクライミング遊具によれば、落下時等における安全性を担保するための緩衝マットを、利用者が落下したときに該緩衝マットの先端部分と突出部との間に足が入り込む隙間が生じないように配置することができるとともに、突出部との境界部分を視覚的に区別できるため、より安全なクライミング遊具を提供することが可能となる。
【００１４】
（５）上記（１）〜（４）のいずれかのクライミング遊具において、
前記突出部は、
足掛け部として機能するものであって、足を掛けたときに足の一部がはみ出るように突出長さが５〜１５ｃｍである
ことを特徴とする。
【００１５】
上記（５）のクライミング遊具によれば、利用者が突出部に足を掛けてパネルの壁面に沿って移動する際に足の一部が突出部からはみ出ることにより、クライミングを体験している感覚をより増大させることが可能となる。
【００１６】
（６）上記（１）〜（５）のいずれかのクライミング遊具において、
前記突出部は、前記壁面に沿った重力方向における上面に複数の粒状突起を有する
ことを特徴とする。
【００１７】
上記（６）のクライミング遊具によれば、突出部の上面における複数の粒状突起が滑り止めとして機能し、より安全なクライミング遊具を提供することが可能となる。
【００１８】
（７）本発明のクライミング遊具用パネルは、
立設して用いることが可能であり、複数のホールドを互いに離間して配置可能な壁面を有するクライミング遊具用パネルであって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記壁面から突出し且つ前記幅方向に沿って延びる突出部を有し、
前記突出部は、
前記幅方向における一方の端部から他方の端部まで連続するように延びており、前記ホールドに手を掛けつつ前記突出部に足を掛けて前記パネルの壁面に沿って移動する際に、前記幅方向における一方の端部から他方の端部まで水平移動できるように構成されてなる
ことを特徴とする。
【００１９】
上記（７）のクライミング遊具用パネルによれば、パネルの縦方向の下方部分において、パネルの壁面から突出し且つ該パネルの幅方向に沿って延びる突出部が、前記幅方向における一方の端部から他方の端部まで連続するように延びており、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けてパネルの壁面に沿って移動する際に、幅方向における一方の端部から他方の端部まで水平移動することが可能となる。したがって、低年齢児であってもクライミングを体験可能なクライミング遊具用パネルを、提供することが可能となる。
【００２０】
（８）本発明のクライミング遊具用パネルは、
立設して用いることが可能であり、複数のホールドを互いに離間して配置可能な壁面を有するクライミング遊具用パネルであって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記複数のホールドについての前記幅方向における間隔よりも狭い間隔で、前記幅方向に沿って配置される複数の突出部を有し、
前記複数の突出部は、
それぞれ、前記ホールドに手を掛けつつ前記突出部に足を掛けて前記パネルの壁面に沿って移動する際に水平移動できるように構成されているとともに、
一の突出部から他の突出部に移動する際にも水平移動できるように構成されてなる
ことを特徴とする。
【００２１】
上記（８）のクライミング遊具用パネルによれば、パネルの縦方向の下方部分において、複数のホールドについてのパネルの幅方向における間隔よりも狭い間隔で当該幅方向に沿って配置される複数の突出部が、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けて、パネルの壁面に沿って移動する際に、一の突出部から他の突出部への移動も含めて水平移動することが可能となる。したがって、低年齢児であってもクライミングを体験可能なクライミング遊具用パネルを、提供することが可能となる。
【発明の効果】
【００２２】
本発明によれば、低年齢児であってもクライミングを体験可能なクライミング遊具およびクライミング遊具用パネルを提供することができる。
【図面の簡単な説明】
【００２３】
【図１】クライミング遊具の全体概要図の一例である。
【図２】パネル（クライミング遊具用パネル）の正面図の一例である。
【図３】パネル（クライミング遊具用パネル）の側面図の一例である。
【図４】緩衝パネルが取り除かれた状態のクライミング遊具の全体概要図の一例である。
【図５】変形例に係るクライミング遊具（緩衝パネルが取り除かれた状態）の全体概要図の一例である。
【発明を実施するための形態】
【００２４】
図１は、クライミング遊具１０の全体概要図の一例である。クライミング遊具１０は、子供がクライミングを体験するための遊具である。図１に示されるように、クライミング遊具１０は、パネル２０と複数のホールド３０と突出部４０と緩衝マット５０とを備え、当該パネル２０を立設して用いることが可能である。以下、これらの構成について説明する。
【００２５】
なお、本実施形態では、クライミング遊具１０を構成する要素に緩衝マット５０が含まれているが、これに限定されない。例えば、クライミング遊具１０に緩衝マット５０が含まれておらず、クライミング遊具１０が設置される施設等において予め準備されたマットが利用されてもよい。
【００２６】
＜パネルの構成＞
図２は、パネル２０の正面図であり、図３は、パネル２０の側面図である。なお、図３においては、便宜上、ホールド３０の図示を省略している。
【００２７】
パネル２０は、壁面２２を有しており、クライミング遊具１０を設置する施設等における設置面（床面）１５に対して立設して用いられる。本実施形態では、パネル２０は、例えば、水平な設置面１５に対して壁面２２が略直交するように、すなわち、壁面２２が鉛直方向に延びるように立設されている。なお、図２等では便宜上図示が省略されているが、パネル２０は、例えば、該パネル２０を支持する支持部材（例えば、支柱）を地中に埋め込むこと等によって設置面１５（図３参照）に設置される。
【００２８】
パネル２０が立設されたときの壁面２２に沿った重力方向を、当該パネル２０の縦方向とし、該縦方向に対して直交し且つ壁面２２に沿う方向を、パネル２０の幅方向とする。例えば、本実施形態のようにパネル２０が鉛直方向に立設されている場合、鉛直方向（壁面２２に沿った重力方向）と平行な方向を、パネル２０の縦方向とする。また、例えば、パネル２０が鉛直方向に対して所定の角度で傾斜して立設されている場合、鉛直方向に対して該所定の角度傾斜した方向（壁面２２に沿った重力方向）を、パネル２０の縦方向とする。また、パネル２０の壁面２２は、表（おもて）面と裏面とを有し、壁面２２の表面に複数のホールド３０が取り付けられる。なお、ホールド３０の詳細については、後述する。
【００２９】
図３に示されるように、パネル２０の壁面２２の上方部分（縦方向の上方部分）は、壁面２２に対して表面側（ホールド３０が取り付けられる側）に所定の角度（例えば、１０度）傾斜している。表面側（利用者が移動する側）に傾斜した部分は、オーバーハング部分などとも称される。このような傾斜部分を設けることにより、クライミング遊具１０の難易度を高めることが可能である。特に、本実施形態に係るクライミング遊具１０では、パネル２０の壁面２２の全体が表面側に傾斜しているのではなく、壁面２２の縦方向の途中部分までは鉛直方向に延び、壁面２２の縦方向の上方部分だけが表面側に傾斜している。これにより、段階的な難易度を設けることができ、利用者（子供）がこのような傾斜部分へとのぼることを繰り返すことで、チャレンジ精神を養うことが可能である。なお、パネル２０の形状はこれに限定されるものではない。例えば、パネル２０の壁面２２の全体が鉛直方向に延びて設けられていてもよく、逆に、パネル２０の壁面２２の全体が鉛直方向に対して表面側あるいは裏面側に傾斜して設けられていてもよい。
【００３０】
パネル２０は、例えば、ＦＲＰ（Fiber Reinforced Plastics）等の材質で形成されている。なお、これに限定されず、パネル２０の材質は、例えば、強化プラスチック、木製またはコンクリート等であってもよい。
【００３１】
また、図１に示されるように、パネル２０の壁面２２には、複数のホールド３０とは別に、三角錐状あるいは四角錐状の隆起部２５が壁面２２から突出して設けられている。これにより、パネル２０の壁面２２に起伏が設けられ、クライミングの難易度を高めることができる。
【００３２】
＜ホールドの構成＞
ホールド３０は、利用者がクライミング遊具１０においてパネル２０の壁面２２に沿って移動する際に当該利用者による手掛かりまたは／および足掛かりとされる部材である。
【００３３】
図１に示されるように、複数のホールド３０は、パネル２０の壁面２２に、所定距離以上の間隔を開けて互いに離間して（すなわち、間隔を開けて）不均一に配置されている。なお、各ホールド３０の配置形態は、これに限定されるものではなく、例えば、複数のホールド３０が、所定の間隔で均等に配置されていてもよい。
【００３４】
また、ホールド３０は、樹脂製であり、表面が不規則な凹凸状に形成されている。なお、ホールド３０の表面粗さは、特に限定されるものではないが、表面粗さを大きくすると利用者が手等を掛け易くなり、表面粗さを小さくすると利用者が手等を掛け難くなる。また、各ホールド３０は、単一種類ではなく、表面形状が互いに異なる複数種類とすることが好ましい。
【００３５】
また、本実施形態に係るクライミング遊具１０では、ホールド３０は、パネル２０とは別部材であり、所定の取付部材（例えばボルト等）によってパネル２０の壁面２２に取り付けられている。ホールド３０がパネル２０に対して着脱可能に構成されていることによれば、ホールド３０を変更するだけでクライミングの難易度を容易に変えることが可能である。なお、ホールド３０が、パネル２０の壁面２２と一体成型されていてもよい。
【００３６】
＜突出部の構成＞
突出部４０は、パネル２０（より詳細には、パネル２０のうち、設置面１５（図３）上に露出している部分）の縦方向の下方部分において、パネル２０の壁面２２から突出して設けられている。詳細には、突出部４０は、基底部２８（次述）からパネル２０の縦方向に所定長さ（例えば、平均的な緩衝マットの厚み）離れた部位において、壁面２２から凸状に突出して設けられている。なお、基底部２８（図３参照）は、パネル２０が立設されたときに該パネル２０が設置面１５から露出する部分の最下部である。
【００３７】
また、突出部４０は、パネル２０の幅方向に沿って所定範囲にわたって延びて形成されている。図１および図２に示されるように、本実施形態では、突出部４０は、パネル２０の幅方向に沿って、パネル２０の全幅（パネル２０の幅方向において複数のホールド３０が取り付けられている範囲と略同一の範囲）にわたって（言い換えれば、パネル２０の全幅と略同一の長さ）延びて形成されている。なお、これに限定されず、突出部４０が、パネル２０の全幅よりも短い範囲にわたって形成されていてもよい。
【００３８】
このように、本実施形態に係るクライミング遊具１０においては、パネル２０の縦方向の下方部分において、壁面２２から突出し且つ壁面２２の幅方向に沿って延びる突出部４０が設けられている。そのため、当該突出部４０が、複数のホールド３０を足掛かりとしてパネル２０の壁面２２に沿って移動することが困難な低年齢児にとっての足掛かりとなり得る。これにより、低年齢児であっても、ホールド３０に手を掛けつつ当該突出部４０に足を掛けて、パネル２０の壁面２２に沿って移動（詳細には、水平移動）することが可能となる。したがって、低年齢児であってもクライミングを体験することが可能となる。
【００３９】
詳細には、仮にクライミング遊具において突出部４０が設けられていない場合において、上記のような低年齢児が当該クライミング遊具を利用するときには、ホールド３０を手掛かりとしつつ緩衝マット５０上または設置面１５上を歩きながらパネル２０の壁面２２に沿って水平移動することとなる。このような利用形態（言い換えれば、足が緩衝マット５０または設置面１５についた状態での水平移動）では、クライミングを体験している感覚を得ることが難しい。これに対して、上記の突出部４０を備えるクライミング遊具１０によれば、低年齢児であっても、クライミングを体験している感覚を得ることが可能となる。
【００４０】
突出部４０は、例えば壁面２２に離間配置されたホールド３０に足を掛けて当該壁面２２に沿って移動することが困難な子供（例えば、１〜２歳の低年齢児）にとっての足掛け部として機能する。なお、突出部４０は、このような低年齢児（幼児）にとって「ホールド代わり」となるものであることから、「幼児用（幼児向け）ホールド」などとも称される。また、突出部４０は、低年齢児であってもクライミングに挑戦できるように設けられるものであり、図１のように踏み台状に形成されていることから、「チャレンジステップ」などとも称される。
【００４１】
突出部４０の上面（壁面２２に沿った重力方向における上面）４１の形状は、平面状に形成されていることが好ましい。これによれば、例えば、凹凸状に形成された表面を有するホールド３０と比較して、足を掛けた際に足が安定するため、低年齢児であっても、より容易にクライミングを体験することが可能となる。なお、突出部４０の上面４１の形状は、これに限定されるものではなく、例えば、不規則な凹凸状に形成されていてもよい。
【００４２】
また、突出部４０の上面４１は、例えば、パネル２０の壁面２２に対して直交する方向（本実施形態では、水平方向）に突出して形成されていることが好ましい。なお、突出部４０の上面４１とパネル２０の壁面２２とは、厳密な意味で直交している必要はなく、利用者が「直交している」と感じる程度であればよい。
【００４３】
また、突出部４０は、利用者（例えば、１〜２歳の低年齢児）が突出部４０に足を掛けたときに足の一部が当該突出部４０からはみ出る突出長さ（例えば、５〜１５ｃｍ程度、より好ましくは１０ｃｍ程度の突出長さ）である。言い換えれば、突出部４０の壁面２２に対する突出長さは、利用者が突出部４０に足を掛けたときに足の一部が突出部４０に掛かる程度の長さである。
【００４４】
これによれば、利用者（例えば、所定年齢の子供）が突出部４０に足を掛けてパネル２０の壁面２２に沿って移動する際に足の一部が突出部４０からはみ出る（図１参照）ことにより、クライミングを体験している感覚をより増大させることが可能となる。
【００４５】
また、突出部４０の縦方向の長さは、緩衝マット５０が配置されたときに低年齢児が該緩衝マット５０から突出部４０へとのぼることが可能な長さであり、例えば、５〜１５ｃｍ程度、より好ましくは１０ｃｍ程度の長さである。
【００４６】
また、図示されていないが、突出部４０の上面（壁面２２に沿った重力方向における上面）４１には、滑り止め機能を有するように、比較的小さい複数（詳細には、多数）の粒状突起が点在して設けられている。なお、当該粒状突起は、突出部４０と一体成形されることによって突出部４０の上面４１に設けられてもよく、あるいは、成形後の突出部４０に対して加工処理が施されることによって突出部４０の上面４１に設けられてもよい。
【００４７】
これによれば、突出部４０の上面４１における当該複数の粒状突起が滑り止めとして機能し、より安全なクライミング遊具１０を提供することが可能となる。
【００４８】
また、本実施形態に係るクライミング遊具１０では、突出部４０は、パネル２０と一体成型されており、パネル２０と同じ材質（例えば、ＦＲＰ）で形成されている。なお、突出部４０がパネル２０とは別部材として設けられ、パネル２０の壁面２２に対して取付可能に構成されていてもよい。例えば、突出部４０が、パネル２０と複数のホールド３０とを備えるクライミング遊具１０に取り付けられるクライミング遊具用部材として、当該パネル２０の壁面２２に対して取付可能（着脱可能）に構成されていてもよい。
【００４９】
また、突出部４０は、緩衝マット５０との境界部分を利用者が容易に判断できるように、緩衝マット５０と視覚的に区別可能に構成されていることが好ましい。詳細には、突出部４０と緩衝マット５０とが互いに異なる色で形成されている。例えば、緩衝マット５０は、青色で構成され、突出部４０は、黄色あるいは白色で構成されている。
【００５０】
＜緩衝マットの構成＞
緩衝マット５０は、ポリウレタンなどの発泡樹脂素材により形成されており、落下時等における人体の安全性を担保するために設けられる部材である。なお、本実施形態では、パネル２０の幅方向に沿って複数の緩衝マット５０が配列されているが、これに限らず、パネル２０の幅方向長さと同じ長さの単一の緩衝マット５０が配置されてもよい。
【００５１】
次述するように、緩衝マット５０の端部は、突出部４０の下方に嵌め込まれて配置される。
【００５２】
具体的には、突出部４０は、パネル２０が立設されたときに突出部４０の下面４２と基底部２８（図４参照）との間に緩衝マット５０を配置可能な空隙が形成されるように、該基底部２８からパネル２０の縦方向に所定長さ離れた部位に設けられている。図４は、緩衝マット５０が取り除かれた状態のクライミング遊具１０の全体概要図の一例である。これによれば、落下時等における安全性を担保するための緩衝マット５０を、利用者が落下したときに該緩衝マット５０の先端部分と突出部４０との間に足が入り込む隙間が生じないように配置する（図１参照）ことができ、より安全なクライミング遊具１０を提供することが可能となる。
【００５３】
突出部４０の下方の当該空隙は、例えば、緩衝マット５０の高さ（厚み）と略同一または僅かに大きい高さとなるように形成されるとよい。そして、緩衝マット５０は、その端部が突出部４０の下方に形成された当該空隙に嵌め込まれて設置される。これにより、突出部４０の下面４２と緩衝マット５０の上面とが接触する。すなわち、突出部４０は、緩衝マット５０が突出部４０の下方に配置されたときに突出部４０の下面４２と緩衝マット５０の上面とが接触するように、基底部２８からパネル２０の縦方向に緩衝マット５０の厚みと略同一の長さ離れた部位に設けられるとよい。これによれば、突出部４０と下面４２と緩衝マット５０の上面との間に利用者の足が入り込むことが抑制され、更に安全なクライミング遊具１０を提供することが可能となる。
【００５４】
＜変形例＞
以上、本発明の実施形態について説明したが、本発明は上述の実施形態に限られるものではなく、特許請求の範囲に記載した限りにおいて様々な変更が可能である。例えば、次のような変形例が実施されてもよい。
【００５５】
図５は、変形例に係るクライミング遊具１０１の全体概要図の一例である。なお、図５においては、緩衝マット５０は取り除かれた状態が示されている。以下、図５を参照しつつ、変形例に係る態様について説明する。なお、変形例に係るクライミング遊具１０１は、以下の点以外については、上記の実施形態に係るクライミング遊具１０と同様の構成を有しており、以下では、その説明を省略する。
【００５６】
上記の実施形態では、クライミング遊具１０において、突出部４０（詳細には、パネル２０の全幅に亘って延びる突出部４０）が、パネル２０の縦方向の下方部分において、壁面２２から突出し且つパネル２０の幅方向に沿って延びて形成されている（図１参照）が、これに限定されない。例えば、クライミング遊具１０１において、複数の突出部４０１が、パネル２０の縦方向の下方部分において、複数のホールド３０についてのパネル２０の幅方向における間隔Ｄ１（図５参照）よりも狭い間隔Ｄ２（＜Ｄ１）で、その上面４１１が壁面２２に対して直交して突出するように、該幅方向に沿って配置されてもよい。「間隔Ｄ２」は、例えば、所定年齢の子供（例えば、１〜２歳の低年齢児）であっても各突出部４０１に足を掛けて壁面２２に沿って移動（詳細には、水平移動）できる程度のものとすることが好ましい。また、このような複数の突出部４０１のそれぞれの重力方向における上面４１１が、パネル２０の幅方向において略同一の高さとなるように設けられることが好ましい。
【００５７】
これによれば、当該複数の突出部４０１が、例えば複数のホールド３０を足掛かりとして壁面２２に沿って移動することが困難な低年齢児にとっての足掛かりとなり得る。これにより、低年齢児であっても、ホールド３０に手を掛けつつ各突出部４０１に足を掛けて、パネル２０の壁面２２に沿って移動することが可能となる。したがって、低年齢児であってもクライミングを体験することが可能となる。
【００５８】
また、上記の実施形態では、クライミング遊具１０において、突出部４０の上面４１が、パネル２０の壁面２２に対して直交して突出している（図１、図３参照）が、これに限定されない。例えば、クライミング遊具１０，１０１において、突出部４０，４０１の上面４１，４１１が、パネル２０の壁面２２に対して傾斜して突出していてもよい。なお、図５では、変形例に係るクライミング遊具１０１において各突出部４０１の上面４１１がパネル２０の壁面２２に対して傾斜して突出している態様が、示されている。
【００５９】
以上説明した実施形態によれば、以下のような発明を提供することができる。
【００６０】
第１の発明は、
壁面（例えば、壁面２２）を有するパネル（例えば、パネル２０）と、
前記壁面に、互いに離間して配置される複数のホールド（例えば、複数のホールド３０）と、
を備え、前記パネルを立設して用いることが可能なクライミング遊具（例えば、クライミング遊具１０）であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記壁面から突出し且つ前記幅方向に沿って延びる突出部（例えば、突出部４０）を有する
ことを特徴とするクライミング遊具である。
【００６１】
上記の第１の発明によれば、パネルの縦方向の下方部分において、該パネルの壁面から突出し且つパネルの幅方向に沿って延びる突出部が、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けて、パネルの壁面に沿って移動することが可能となる。したがって、低年齢児であってもクライミングを体験可能なクライミング遊具を、提供することが可能となる。
【００６２】
第２の発明は、
壁面（例えば、壁面２２）を有するパネル（例えば、パネル２０）と、
前記壁面に、互いに離間して配置される複数のホールド（例えば、複数のホールド３０）と、
を備え、前記パネルを立設して用いることが可能なクライミング遊具（例えば、クライミング遊具１０１）であって、
前記パネルが立設されたときの前記壁面に沿った重力方向を該パネルの縦方向とし、該縦方向に対して直交し且つ前記壁面に沿う方向を前記パネルの幅方向とした場合、
前記パネルは、
前記縦方向の下方部分において、前記複数のホールドについての前記幅方向における間隔よりも狭い間隔で、前記幅方向に沿って配置される複数の突出部（例えば、複数の突出部４０１）を有する
ことを特徴とするクライミング遊具である。
【００６３】
上記の第２の発明によれば、パネルの縦方向の下方部分において、複数のホールドについての該パネルの幅方向における間隔よりも狭い間隔で当該幅方向に沿って配置される複数の突出部が、例えば複数のホールドを足掛かりとしてパネルの壁面に沿って移動することが困難な低年齢児にとっての足掛かりとなり得る。これにより、低年齢児であっても、ホールドに手を掛けつつ各突出部に足を掛けて、パネルの壁面に沿って移動することが可能となる。したがって、低年齢児であってもクライミングを体験可能なクライミング遊具を、提供することが可能となる。
【００６４】
第３の発明は、上記の第１の発明または第２の発明において、
前記突出部は、前記壁面に沿った重力方向における上面（例えば、上面４１，４１１）が平面状に形成されている
ことを特徴とするクライミング遊具（例えば、クライミング遊具１０，１０１）である。
【００６５】
上記の第３の発明によれば、突出部に足を掛けた際に足が安定するため、低年齢児であっても、より容易にクライミングを体験することが可能となる。
【００６６】
第４の発明は、上記の第１の発明〜第３の発明のいずれかにおいて、
前記パネルが立設されたときに該パネルが露出する部分の最下部を基底部（例えば、基底部２８）とし、
前記パネルは、
該パネルが立設されたときに前記基底部との間に緩衝マット（例えば、緩衝マット５０）を配置可能な空隙が形成されるように、前記突出部を、前記基底部から前記縦方向に所定長さ離れた部位に有する
ことを特徴とするクライミング遊具（例えば、クライミング遊具１０，１０１）である。
【００６７】
上記の第４の発明によれば、落下時等における安全性を担保するための緩衝マットを、利用者が落下したときに該緩衝マットの先端部分と突出部との間に足が入り込む隙間が生じないように配置することができ、より安全なクライミング遊具を提供することが可能となる。
【００６８】
第５の発明は、上記の第１の発明〜第４の発明のいずれかにおいて、
前記突出部は、
足掛け部として機能するものであって、足を掛けたときに足の一部がはみ出る突出長さである
ことを特徴とするクライミング遊具（例えば、クライミング遊具１０，１０１）である。
【００６９】
上記の第５の発明によれば、利用者が突出部に足を掛けてパネルの壁面に沿って移動する際に足の一部が突出部からはみ出ることにより、クライミングを体験している感覚をより増大させることが可能となる。
【００７０】
第６の発明は、上記の第１の発明〜第５の発明のいずれかにおいて、
前記突出部は、前記壁面に沿った重力方向における上面（例えば、上面４１，４１１）に複数の粒状突起を有する
ことを特徴とするクライミング遊具（例えば、クライミング遊具１０，１０１）である。
【００７１】
上記の第６の発明によれば、突出部の上面における複数の粒状突起が滑り止めとして機能し、より安全なクライミング遊具を提供することが可能となる。
【００７２】
第７の発明は、
立設して用いることが可能であり、複数のホールド（例えば、複数のホールド３０）を互いに離間して配置可能な壁面（例えば、壁面２２）を有するクライミング遊具用パネル（例えば、パネル２０）であって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記壁面から突出し且つ前記幅方向に沿って延びる突出部（例えば、突出部４０）を有する
ことを特徴とするクライミング遊具用パネルである。
【００７３】
上記の第７の発明によれば、パネルの縦方向の下方部分において、パネルの壁面から突出し且つ該パネルの幅方向に沿って延びる突出部が、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けて、パネルの壁面に沿って移動することが可能となる。したがって、低年齢児であってもクライミングを体験可能なクライミング遊具用パネルを、提供することが可能となる。
【００７４】
第８の発明は、
立設して用いることが可能であり、複数のホールド（例えば、複数のホールド３０）を互いに離間して配置可能な壁面（例えば、壁面２２）を有するクライミング遊具用パネル（例えば、パネル２０）であって、
前記クライミング遊具用パネルが立設されたときの前記壁面に沿った重力方向を該クライミング遊具用パネルの縦方向とし、該縦方向に対して直交し且つ前記壁面に沿う方向を前記クライミング遊具用パネルの幅方向とした場合、
前記縦方向の下方部分において、前記複数のホールドについての前記幅方向における間隔よりも狭い間隔で、前記幅方向に沿って配置される複数の突出部（例えば、複数の突出部４０１）を有する
ことを特徴とするクライミング遊具用パネルである。
【００７５】
上記の第８の発明によれば、パネルの縦方向の下方部分において、複数のホールドについてのパネルの幅方向における間隔よりも狭い間隔で当該幅方向に沿って配置される複数の突出部が、例えば複数のホールドを足掛かりとしてパネルの壁面に沿って移動することが困難な低年齢児にとっての足掛かりとなり得る。これにより、低年齢児であっても、ホールドに手を掛けつつ当該突出部に足を掛けて、パネルの壁面に沿って移動することが可能となる。したがって、低年齢児であってもクライミングを体験可能なクライミング遊具用パネルを、提供することが可能となる。
【産業上の利用可能性】
【００７６】
本発明によれば、低年齢児であってもクライミングを体験可能なクライミング遊具およびクライミング遊具用パネルを、提供することが可能となる。
【符号の説明】
【００７７】
１０  クライミング遊具
２０  パネル（クライミング遊具用パネル）
２２  壁面
２５  隆起部
２８  基底部
３０  ホールド
４０  突出部
４１  突出部の上面
４２  突出部の下面
５０  緩衝マット
【要約】
【課題】低年齢児であってもクライミングを体験可能なクライミング遊具およびクライミング遊具用パネルを、提供する。
【解決手段】クライミング遊具１０は、壁面２２を有するパネル２０と、当該壁面２２に、互いに離間して配置される複数のホールド３０と、を備え、当該パネル２０を立設して用いることが可能である。パネル２０が立設されたときの該壁面２２に沿った重力方向を該パネル２０の縦方向とし、該縦方向に対して直交し且つ壁面２２に沿う方向をパネル２０の幅方向とした場合、当該パネル２０は、パネル２０の縦方向の下方部分において、壁面２２から突出し且つ該幅方向に沿って延びる突出部４０を有する。
【選択図】図１【図１】
0006779592.tif 000002
【図２】
0006779592.tif 000003
【図３】
0006779592.tif 000004
【図４】
0006779592.tif 000005
【図５】
0006779592.tif 000006